(57)【特許請求の範囲】
【請求項１】
ＷＤＭ信号のスペクトルを測定する分光器と、
この分光器の光信号の線スペクトルに対する応答特性データを格納する応答特性データ格納部と、
光ノイズレベルの演算に用いる補正データを格納する補正データ格納部と、
前記分光器によって測定されたスペクトルと前記応答特性データ格納部の応答特性データと前記補正データ格納部の補正データに基づき、少なくとも光ノイズレベルを求める演算部と、
前記分光器によって測定されたスペクトルに基づいて光ノイズレベルを求め、この求めた光ノイズレベルと前記演算部が求めた光ノイズレベルとの誤差により補正データを演算し、この補正データを前記補正データ格納部に格納する調整部と
を設けたことを特徴とするＷＤＭ信号モニタ。
【請求項２】
ＷＤＭ信号のスペクトルを測定する分光器と、
この分光器の光信号の線スペクトルに対する応答特性データを格納する応答特性データ格納部と、
光ノイズレベルを補正する補正データを格納する補正データ格納部と、
前記分光器によって測定されたスペクトルと前記応答特性データ格納部の応答特性データに基づき光ノイズレベルを求め、この求めた光ノイズレベルを前記補正データ格納部の補正データによって補正する演算部と、
前記分光器によって測定されたスペクトルに基づいて光ノイズレベルを求め、この求めた光ノイズレベルと、前記演算部が求めた補正前の光ノイズレベルとの値から補正データを演算し、この補正データを前記補正データ格納部に格納する調整部と
を設けたことを特徴とするＷＤＭ信号モニタ。
【請求項３】
演算部は、
分光器によって測定されたスペクトルから、ＷＤＭ信号のチャネルごとのピーク波長を求める光ピーク演算手段と、
この光ピーク演算手段によって求められたピーク波長と前記スペクトルと応答特性データ格納部の応答特性データに基づき、光ノイズレベルと光信号レベルを求める方程式演算手段と、
この方程式演算手段によって求められた光ノイズレベルを補正データ格納部の補正データによって補正する光ノイズレベル補正手段と、
この光ノイズレベル補正手段によって補正された光ノイズレベルと、前記方程式演算手段によって求められた光信号レベルから光ＳＮＲを求める光ＳＮＲ演算手段と
を有することを特徴とする請求項２記載のＷＤＭ信号モニタ。
【請求項４】
調整部は、
演算部によって求められたピーク波長から、チャネル間隔の広いチャネルを検出するチャネル間隔検出手段と、
分光器によって測定されたスペクトルから、前記チャネル間隔検出手段によって検出されたチャネルで光ノイズレベルを求めるＡＳＥ演算手段と、
このＡＳＥ演算手段の求めた光ノイズレベルと、演算部が求めた補正前の光ノイズレベルとの値から補正データを演算する補正データ演算手段と
を有することを特徴とする請求項３記載のＷＤＭ信号モニタ。
【請求項５】
分光器は、特定の波長範囲のＷＤＭ信号のみを透過する波長フィルタを有することを特徴とする請求項２または３記載のＷＤＭ信号モニタ。
【請求項６】
調整部は、
分光器によって測定されたスペクトルから光ノイズレベルを求めるＡＳＥ演算手段と、
このＡＳＥ演算手段の求めた光ノイズレベルと、演算部が求めた補正前の光ノイズレベルとの値から補正データを演算する補正データ演算手段と
を有することを特徴とする請求項５記載のＷＤＭ信号モニタ。
【請求項７】
ＷＤＭ信号のスペクトルを測定する分光器と、
この分光器の光信号の線スペクトルに対する応答特性データを格納する応答特性データ格納部と、
応答特性データを補正する補正データを格納する補正データ格納部と、
この補正データ格納部の補正データにより、前記応答特性データ格納部の応答特性データを補正し、この補正した応答特性データと前記分光器によって測定されたスペクトルに基づき光信号レベルと光ノイズレベルを求める演算部と、
前記分光器によって測定されたスペクトルに基づいて光ノイズレベルを求め、この求めた光ノイズレベルと、前記スペクトルと、前記演算部によって補正された応答特性データと、前記演算部が求めた光信号レベルと、補正データ格納部の補正データとから新たに補正データを演算し、この新たに求めた補正データを前記補正データ格納部に格納する調整部と
を設けたことを特徴とするＷＤＭ信号モニタ。
【請求項８】
演算部は、
分光器によって測定されたスペクトルから、ＷＤＭ信号のチャネルごとのピーク波長を求める光ピーク演算手段と、
補正データ格納部の補正データにより、応答特性データ格納部の応答特性データを補正する応答特性データ補正手段と、
前記光ピーク演算手段によって求められたピーク波長と前記スペクトルと前記応答特性データ補正手段によって補正された応答特性データに基づき、光ノイズレベルと光信号レベルを求める方程式演算手段と、
この方程式演算手段によって求められた光ノイズレベルと光信号レベルから光ＳＮＲを求める光ＳＮＲ演算手段と
を有することを特徴とする請求項７記載のＷＤＭ信号モニタ。
【請求項９】
調整部は、
演算部によって求められたピーク波長から、チャネル間隔の広いチャネルを検出するチャネル間隔検出手段と、
分光器によって測定されたスペクトルから、前記チャネル間隔検出手段によって検出されたチャネルで光ノイズレベルを求めるＡＳＥ演算手段と、
このＡＳＥ演算手段の求めた光ノイズレベルと、前記スペクトルと、演算部によって補正された応答特性データと、前記演算部が求めた光信号レベルと、前記補正データ格納部の補正データとから新たに補正データを演算する補正データ演算手段と
を有することを特徴とする請求項８記載のＷＤＭ信号モニタ。
【請求項１０】
分光器は、特定の波長範囲のＷＤＭ信号のみを透過する波長フィルタを有することを特徴とする請求項７または８記載のＷＤＭ信号モニタ。
【請求項１１】
調整部は、
分光器によって測定されたスペクトルから光ノイズレベルを求めるＡＳＥ演算手段と、
このＡＳＥ演算手段の求めた光ノイズレベルと、前記スペクトルと、演算部によって補正された応答特性データと、前記演算部が求めた光信号レベルと、補正データ格納部の補正データとから新たに補正データを演算する補正データ演算手段と
を有することを特徴とする請求項１０記載のＷＤＭ信号モニタ。
【請求項１２】
波長フィルタまたは調整部の少なくとも一方は、調整時に設けられることを特徴とする請求項６または１１記載のＷＤＭ信号モニタ。
【請求項１３】
分光器は、
ＷＤＭ信号を分光する波長分散素子と、
この分光された光を受ける複数のフォトダイオードからなるフォトダイオードアレイと
を有することを特徴とする請求項１〜１２のいずれかに記載のＷＤＭ信号モニタ。
【発明の詳細な説明】
【０００１】
【発明の属する技術分野】
本発明は、ＷＤＭ（Wavelength Division Multiplexing：波長分割多重）信号を測定するＷＤＭ信号モニタに関し、詳しくは、経時変化、使用環境、ＷＤＭ信号の変調方式等に影響されずに、光ノイズレベルを精度良く測定できるＷＤＭ信号モニタに関するものである。
【０００２】
【従来の技術】
光ファイバによって光信号を伝送する光通信方式の一種に、ＷＤＭ通信がある。このＷＤＭ通信とは、波長の異なる複数の光信号を１本の光ファイバによって伝送する通信方式である。また、波長の異なる複数の光信号のことをＷＤＭ信号とも呼ぶ。そして、ＷＤＭ信号のそれぞれの光信号は、例えば短波側から１チャネル、２チャネルと数えられることが多い。
【０００３】
近年光通信システムは、伝送容量の拡大に伴ってＷＤＭ信号の高密度な多重化および伝送距離の長距離化が進み、各チャネルの光信号レベル、ピーク波長等の測定に加え、光ＳＮＲ（signal to noise ratio：信号対雑音比）を求めるための光ノイズレベルの測定が特に重要な測定パラメータになっている。一般的に、光通信システムにおける光ノイズレベルは、ＷＤＭ信号を長距離伝送するために使用される光増幅器内の雑音源であるＡＳＥ（Amplified Spontaneous Emission：増幅自然放出光）の光レベルを指すことが多い。また、光ノイズレベルは、光増幅器で増幅するチャネル数や時間等によって変動する。
【０００４】
そして、これらの光ノイズレベル等のパラメータを監視することは、ＷＤＭ信号の品質を維持する上で不可欠であり、これらのパラメータの測定を行う装置がＷＤＭ信号モニタである。このＷＤＭ信号モニタは、波長分散素子を用いてＷＤＭ信号である被測定光を波長ごとに分光し、任意の波長幅に存在する光パワーを求め、この求めた光パワーから、これらのパラメータの測定を行う装置である。
【０００５】
また、ＷＤＭ信号モニタには、光通信システムの一部にインライン形式で組み込み常時監視できるように、例えば小型の分光器を用いて構成されるものがあり、分光器の方式は、ポリクロメータ方式分光器、ＡＷＧ（Array Waveguide Grating：アレイ導波路格子）方式分光器、ファイバーグレーティング方式分光器、チューナブルフィルタ方式分光器等があげられる。
【０００６】
図７は、このようなＷＤＭ信号を測定するＷＤＭ信号モニタの従来例を示す構成図である。図７において、分光器１０は、ポリクロメータ方式分光器であり、被測定光であるＷＤＭ信号が入力され、任意の波長幅に存在する光パワーに対応した出力を測定データとして出力する。そして、分光器１０は、光ファイバ１１、コリメーティングレンズ１２、波長分散素子である回折格子１３、フォーカシングレンズ１４、フォトダイオードアレイモジュール（以下ＰＤＭと略す）１５、光シャッター１６、偏光解消素子１７から構成される。
【０００７】
光ファイバ１１は、被測定光１００を分光器１０に入射する伝送路である。コリメーティングレンズ１２は、光ファイバ１１の出射口に対向して設置され、光ファイバ１１から出射された被測定光１００を平行光にして出射する。
【０００８】
回折格子１３は、コリメーティングレンズ１２からの出射光を所望の角度に回折するため、コリメーティングレンズ１２に対して傾けて設置してある。また、回折格子１３は被測定光１００を波長ごと異なる角度に分光して出射する。フォーカシングレンズ１４は、回折格子１３からの出射光の光路上に設置され、出射光を収束させる。
【０００９】
ＰＤＭ１５は、被測定光１００が収束する位置に設置される。ＰＤＭ１５は、短冊状または点状の受光素子であるフォトダイオード（以下ＰＤと略す）が複数個配列されたＰＤアレイが設けられている。このＰＤは、入射した被測定光１００の光パワーに応じた電流（光電流）が生ずる。ＰＤＭ１５は、ＰＤの光電流を順番に、例えば短波長側のＰＤから出力し、光電流を所望のデータに変換して測定データとして出力する。
【００１０】
また、各ＰＤには、あらかじめ波長が割り付けられている。波長の割り付けは、被測定光１００が回折格子１３によって波長ごとに分光されて、ＰＤアレイにて収束する位置と対応している。
【００１１】
光シャッター１６は、光ファイバ１１とコリメーティングレンズ１２の間に設けられ、被測定光１００を遮断することができる。光シャッター１６は被測定光１００を遮り、そのときのＰＤの暗電流レベルを測定し、この値を被測定光１００の測定データから減算することで、暗電流のドリフトの影響も除去でき、高精度な測定が実現できる。
【００１２】
偏光解消素子１７は、コリメーティングレンズ１２と回折格子１３の間に設けられ、被測定光１００が透過することにより、特に回折格子１３での偏光依存性を除去することができる。
【００１３】
演算部２０は、光ピーク演算手段２１、ＡＳＥ演算手段２２、光ＳＮＲ演算手段２３を有し、分光器１０から出力された測定データが入力され、各チャネルのピーク波長や光信号レベル等を求め、これらの演算結果を出力する。光ピーク演算手段２１は、測定データ、各ＰＤに割り付けられた波長から、各チャネルのピーク検出を行い、検出した各チャネルのピーク波長、光信号レベルの演算を行う。ＡＳＥ演算手段２２は、ＡＳＥ補間法によって、測定データ、光ピーク演算手段２１の求めたピーク波長から光ノイズレベルを求める。そして、光ＳＮＲ演算手段２３は、光ピーク演算手段２１からの光信号レベルとＡＳＥ演算手段２２からの光ノイズレベルによって光ＳＮＲの演算を行う。
【００１４】
図８は、図７に示す装置の分光器１０に線スペクトルが入力された場合の応答特性例を示した図である。図８において、横軸は相対波長で、縦軸は光パワーの相対出力である。線スペクトルに対する分光器１０の応答特性はピーク近傍がガウシアン分布のような広がりをもつ応答スペクトルになる。そして、応答スペクトルのピーク光パワーと、このピーク光パワーとなるピーク波長から一定の波長差Δλｏｆｆｓｅｔだけ離れた位置における光パワーとの光パワー差が、分光器１０の光学的なダイナミックレンジである。同じ波長差Δλｏｆｆｓｅｔにてダイナミックレンジが大きいほど分光器１０の波長分解能は高い。
【００１５】
図９は、光ノイズを含む複数のチャネルＣＨ１〜ＣＨ５からなるＷＤＭ信号が入力された場合の分光器１０の応答特性例を示した図である。図９において、縦軸および横軸は図８と同一である。このようなＷＤＭ信号に対する分光器１０の応答スペクトルは、光ノイズレベルと、チャネルＣＨ１〜ＣＨ５ごとの線スペクトルに対して図８に示した応答特性がそれぞれ重ね合わされたスペクトルとなる。
【００１６】
ここで、チャネルＣＨ１〜ＣＨ５の波長間隔は、チャネルＣＨ１〜ＣＨ３において十分に広く、チャネルＣＨ３〜ＣＨ５において狭いものとする。この波長間隔が十分に広いとは、分光器１０の応答スペクトルにおいて、チャネルＣＨ１〜ＣＨ３間でダイナミックレンジが十分にとれ、光ノイズレベルと同等にみなせる出力値が存在しているということである。
【００１７】
続いて、図７に示す装置の動作を説明する。被測定光１００は、図９に示した波長間隔のチャネルＣＨ１〜ＣＨ５が多重化されているとする。ただし、図７においては、波長λＡ、λＢからなる被測定光１００Ａ、１００Ｂは、チャネルＣＨ２、ＣＨ４のそれぞれに対応し、これらの光路のみを図示している。光ファイバ１１から出射された被測定光１００は、コリメーティングレンズ１２で平行光となる。コリメーティングレンズ１２を透過した被測定光１００は、偏光解消素子１７を透過し回折格子１３に入射する。被測定光１００は回折格子１３によって、波長λＡ、λＢごとに被測定光１００Ａ、１００Ｂに分光される。回折格子１３によって分光された被測定光１００Ａ、１００Ｂは、フォーカシングレンズ１４によってＰＤＭ１５のＰＤアレイに収束するが、収束する位置は被測定光１００Ａ、１００Ｂの波長λＡ、λＢに対応してずれる。
【００１８】
そして、各ＰＤで生じた光電流は、短波長側のＰＤから順に出力される。図示しない変換部は、ＰＤから出力された光電流を電圧に変換する。また、この電圧に変換された信号はアナログ信号なので、変換部はこのアナログ信号をデジタル信号に変換し、測定データとして演算部２０に出力する。このように、測定データはＰＤによってサンプリングされたサンプリングデータとなっている。
【００１９】
演算部２０は、分光器１０から出力された測定データが入力される。そして光ピーク演算手段２１が、この測定データから、チャネルＣＨ１〜ＣＨ５のそれぞれに対応するピーク値を測定データから検出し、この検出した測定データおよび近傍の測定データと、各ＰＤに割り付けられた波長から近似曲線（例えば、ガウス曲線や２次曲線等）を求め、この近似曲線からピーク波長、光信号レベルを演算する。
【００２０】
ＡＳＥ演算手段２２は、測定データおよび各ＰＤに割り付けられた波長から各チャネルＣＨ１〜ＣＨ５の光ノイズレベルの演算を行う。ただし、光ノイズレベルは、光ピーク演算手段２１によって演算されたピーク波長直下で求めるものであるが、現実にはピーク波長直下では演算できないので、このピーク波長から一定の波長離れた位置において、式（１）によって表されるＡＳＥ補間法と呼ばれる方法で演算を行う。この演算方法は、ＡＳＥに起因する光ノイズのパワーレベルはごく狭い波長範囲では直線的に変化する特性を利用している。
【００２１】
【数１】
0003678201.tif 000002
【００２２】
ただし、各変数は以下となる。λは、各チャネルＣＨ１〜ＣＨ５のピーク波長であり、ＡＳＥ（λ）は、各チャネルＣＨ１〜ＣＨ５の光ノイズレベルである。ＡＳＥ−（λ）、ＡＳＥ＋（λ）は、求めるチャネルＣＨ１〜ＣＨ５のピーク波長よりそれぞれ短波側、長波側の位置で測定した光ノイズレベルである。
【００２３】
具体的には図９において、例えば、チャネルＣＨ２に着目し、このチャネルＣＨ２の光ノイズレベルを求めるＡＳＥ＋（λ）とＡＳＥ−（λ）の位置は、チャネルＣＨ２に隣接しているチャネルＣＨ１、ＣＨ３それぞれとのピーク波長の中間地点（図９における●点）となる。これにより、ダイナミックレンジが一番とれる位置の測定データを用いることになり、正確に光ノイズレベルを求めることができる。
【００２４】
このように、ＡＳＥ演算手段２２は、測定データとピーク波長から式（１）によってチャネルＣＨ１〜ＣＨ５に対する光ノイズレベルを求める。そして、光ＳＮＲ演算手段２３は、光ピーク演算手段２１が求めた光信号レベルおよびＡＳＥ演算手段２２が求めた光ノイズレベルから光ＳＮＲの演算を行う。そして、演算部２０は、これらの演算結果を図示しない出力部に出力する。図示しない出力部は、演算部２０から出力された演算結果を、例えば表示部の画面に表示したり、図示しない外部装置に出力する。
【００２５】
しかし、図９に示すチャネルＣＨ３〜ＣＨ５のようにピーク波長間隔が狭くなると、隣接するチャネルＣＨ３〜ＣＨ５の応答スペクトルの裾がお互いに重ね合わさり、光ノイズレベルに対して十分なダイナミックレンジがとれなくなる。例えば、チャネルＣＨ４に着目すると、隣接するチャネルＣＨ３、ＣＨ５それぞれとのピーク波長の中間地点（図９における×点）であっても、チャネルＣＨ３〜ＣＨ５の応答スペクトルの裾によって光ノイズレベルが埋もれてしまい、式（１）に示したＡＳＥ補間法では光ノイズレベルを正確に求められない。
【００２６】
図１０は、従来例の他の構成を示した図である。図７と同一のものは同一符号を付し、説明を省略すると共に図示も省略する。図１０において、応答特性データ格納部３０は、分光器１０の応答特性データが格納される。応答特性データは、図８に示した線スペクトルに対する分光器１０の応答スペクトルを正規化したものであり、波長と光パワーの出力値で表される関数ｆ（Δλ）になる。ここで、Δλはピーク波長からの波長差を示し、波長差Δλ＝０のときのｆ（０）がこの関数の最大値となる。この応答特性データｆ（Δλ）は、オフラインにて求めておく。
【００２７】
演算部４０は、光ピーク演算手段４１、方程式演算手段４２、光ＳＮＲ演算手段４３を有し、分光器１０からの測定データと、応答特性データ格納部３０からの応答特性データによって各チャネルＣＨ１〜ＣＨ５のピーク波長や光信号レベル等を求め、これらの演算結果を出力する。また、光ピーク演算手段４１は、測定データ、各ＰＤに割り付けられた波長から、各チャネルＣＨ１〜ＣＨ５のピーク検出を行い、検出した各チャネルＣＨ１〜ＣＨ５のピーク波長の演算を行う。方程式演算手段４２は、応答特性データ格納部３０の応答特性データ、光ピーク演算手段４１の求めた光ピーク波長等から光ノイズレベル、光信号レベルを求める。そして、光ＳＮＲ演算手段２３は、方程式演算手段４２の求めた光ノイズレベル、光信号レベルから光ＳＮＲの演算を行う。
【００２８】
続いて、図１０に示す装置の動作を説明する。演算部４０は、応答特性データ格納部３０の応答特性データを読み出す。また、演算部４０は、分光器１０から出力された測定データが入力される。光ピーク演算手段４１は、この測定データから、各チャネルＣＨ１〜ＣＨ５それぞれに対応するピーク値を測定データから検出し、この検出した測定データおよび近傍の測定データと各ＰＤに割り付けられた波長から近似曲線（例えば、ガウス曲線、２次曲線等）を求め、この近似曲線からピーク波長を演算する。
【００２９】
方程式演算手段４２は、各チャネルＣＨ１〜ＣＨ５の光信号レベル、光ノイズレベルを未知数として、測定データ、応答特性データ、各ＰＤに割り付けられた波長から、式（２）に示す連立方程式でこれらの未知数を解く。
【００３０】
【数２】
0003678201.tif 000003
【００３１】
ここで、光ピーク演算手段４１によって検出されたチャネル数をＮ（ただし、Ｎは整数）個とし、各チャネルＣＨ１〜ＣＨ５の光信号レベルをＰｓ（ｋ）、光ノイズレベルをＰｎ（ｋ）（ただし、ｋ＝１〜Ｎで整数）で表している。また、Ｆｓｋ、Ｆｎｋは、それぞれ測定データから光信号レベルＰｓ（ｋ）、光ノイズレベルＰｎ（ｋ）に対応したパラメータを求める近似式であり、行列Ｍは、Ｆｓｋ、Ｆｎｋおよび応答特性データｆ（Δλ）で決まる行列である。
【００３２】
このように、方程式演算手段４２は、測定データ等から式（２）によって光ノイズレベル、光信号レベルを未知数とする連立方程式を解く。光ＳＮＲ演算手段４３は、方程式演算手段４２によって求めた光ノイズレベル、光信号レベルから光ＳＮＲを求める。そして、演算部４０は、これらの演算結果を図示しない出力部に出力する。図示しない出力部は、演算部４０から出力された演算結果を、例えば表示部の画面に表示したり、図示しない外部装置に出力する。
【００３３】
【発明が解決しようとする課題】
近年光通信システムは、ＷＤＭ信号の高密度化が進み、チャネルＣＨ１〜ＣＨ５間隔は狭くなっている。また、ＷＤＭ信号モニタは、光通信システムの一部にインライン方式で組み込まれるために小型化が要求される。そのため、分光器１０の回折格子１３に小型のものが用いられ、分光器１０はダイナミックレンジを十分にとれず、波長分解能も低くなる。
【００３４】
これらにより、分光器１０の応答スペクトルは、隣接するチャネルＣＨ１〜ＣＨ５同士の影響を受け易くなり、光ノイズレベルを式（１）のＡＳＥ補間法で正確に求めることが難しく、応答特性データ格納部３０の応答特性データ等を用いて式（２）によって連立方程式を解く方法が一般的になっている。
【００３５】
連立方程式を解く際、応答特性データが非常に重要となるが、経時変化、使用される環境の状態（温度、気圧等）、ＷＤＭ信号の変調方式等によって、測定時の分光器１０の応答スペクトルの形状は、応答特性データ格納部３０に格納されている応答特性データの形状と異なる。よって、応答特性データ等から式（２）によって求まる光ノイズレベルの演算結果は、この形状の変化によって演算誤差が生じるため、正確な測定が難しいという問題があった。
【００３６】
そこで本発明の目的は、経時変化、使用環境、ＷＤＭ信号の変調方式等に影響されずに、光ノイズレベルを精度良く測定できるＷＤＭ信号モニタを実現することである。
【００３７】
【課題を解決するための手段】
請求項１記載の発明は、
ＷＤＭ信号のスペクトルを測定する分光器と、
この分光器の光信号の線スペクトルに対する応答特性データを格納する応答特性データ格納部と、
光ノイズレベルの演算に用いる補正データを格納する補正データ格納部と、
前記分光器によって測定されたスペクトルと前記応答特性データ格納部の応答特性データと前記補正データ格納部の補正データに基づき、少なくとも光ノイズレベルを求める演算部と、
前記分光器によって測定されたスペクトルに基づいて光ノイズレベルを求め、この求めた光ノイズレベルと前記演算部が求めた光ノイズレベルとの誤差により補正データを演算し、この補正データを前記補正データ格納部に格納する調整部と
を設けたことを特徴とするものである。
【００３８】
請求項２記載の発明は、
ＷＤＭ信号のスペクトルを測定する分光器と、
この分光器の光信号の線スペクトルに対する応答特性データを格納する応答特性データ格納部と、
光ノイズレベルを補正する補正データを格納する補正データ格納部と、
前記分光器によって測定されたスペクトルと前記応答特性データ格納部の応答特性データに基づき光ノイズレベルを求め、この求めた光ノイズレベルを前記補正データ格納部の補正データによって補正する演算部と、
前記分光器によって測定されたスペクトルに基づいて光ノイズレベルを求め、この求めた光ノイズレベルと、前記演算部が求めた補正前の光ノイズレベルとの値から補正データを演算し、この補正データを前記補正データ格納部に格納する調整部と
を設けたことを特徴とするものである。
【００３９】
請求項３記載の発明は、請求項２記載の発明において、
演算部は、
分光器によって測定されたスペクトルから、ＷＤＭ信号のチャネルごとのピーク波長を求める光ピーク演算手段と、
この光ピーク演算手段によって求められたピーク波長と前記スペクトルと応答特性データ格納部の応答特性データに基づき、光ノイズレベルと光信号レベルを求める方程式演算手段と、
この方程式演算手段によって求められた光ノイズレベルを補正データ格納部の補正データによって補正する光ノイズレベル補正手段と、
この光ノイズレベル補正手段によって補正された光ノイズレベルと、前記方程式演算手段によって求められた光信号レベルから光ＳＮＲを求める光ＳＮＲ演算手段と
を有することを特徴とするものである。
【００４０】
請求項４記載の発明は、請求項３記載の発明において、
調整部は、
演算部によって求められたピーク波長から、チャネル間隔の広いチャネルを検出するチャネル間隔検出手段と、
分光器によって測定されたスペクトルから、前記チャネル間隔検出手段によって検出されたチャネルで光ノイズレベルを求めるＡＳＥ演算手段と、
このＡＳＥ演算手段の求めた光ノイズレベルと、演算部が求めた補正前の光ノイズレベルとの値から補正データを演算する補正データ演算手段と
を有することを特徴とするものである。
【００４１】
請求項５記載の発明は、請求項２または３記載の発明において、
分光器は、特定の波長範囲のＷＤＭ信号のみを透過する波長フィルタを有することを特徴とするものである。
【００４２】
請求項６記載の発明は、請求項５記載の発明において、
調整部は、
分光器によって測定されたスペクトルから光ノイズレベルを求めるＡＳＥ演算手段と、
このＡＳＥ演算手段の求めた光ノイズレベルと、演算部が求めた補正前の光ノイズレベルとの値から補正データを演算する補正データ演算手段と
を有することを特徴とするものである。
【００４３】
請求項７記載の発明は、
ＷＤＭ信号のスペクトルを測定する分光器と、
この分光器の光信号の線スペクトルに対する応答特性データを格納する応答特性データ格納部と、
応答特性データを補正する補正データを格納する補正データ格納部と、
この補正データ格納部の補正データにより、前記応答特性データ格納部の応答特性データを補正し、この補正した応答特性データと前記分光器によって測定されたスペクトルに基づき光信号レベルと光ノイズレベルを求める演算部と、
前記分光器によって測定されたスペクトルに基づいて光ノイズレベルを求め、この求めた光ノイズレベルと、前記スペクトルと、前記演算部によって補正された応答特性データと、前記演算部が求めた光信号レベルと、補正データ格納部の補正データとから新たに補正データを演算し、この新たに求めた補正データを前記補正データ格納部に格納する調整部と
を設けたことを特徴とするものである。
【００４４】
請求項８記載の発明は、請求項７記載の発明において、
演算部は、
分光器によって測定されたスペクトルから、ＷＤＭ信号のチャネルごとのピーク波長を求める光ピーク演算手段と、
補正データ格納部の補正データにより、応答特性データ格納部の応答特性データを補正する応答特性データ補正手段と、
前記光ピーク演算手段によって求められたピーク波長と前記スペクトルと応答特性データ補正手段によって補正された応答特性データに基づき、光ノイズレベルと光信号レベルを求める方程式演算手段と、
この方程式演算手段によって求められた光ノイズレベルと光信号レベルから光ＳＮＲを求める光ＳＮＲ演算手段と
を有することを特徴とするものである。
【００４５】
請求項９記載の発明は、請求項８記載の発明において、
調整部は、
演算部によって求められたピーク波長から、チャネル間隔の広いチャネルを検出するチャネル間隔検出手段と、
分光器によって測定されたスペクトルから、前記チャネル間隔検出手段によって検出されたチャネルで光ノイズレベルを求めるＡＳＥ演算手段と、
このＡＳＥ演算手段の求めた光ノイズレベルと、前記スペクトルと、演算部によって補正された応答特性データと、前記演算部が求めた光信号レベルと、補正データ格納部の補正データとから新たに補正データを演算する補正データ演算手段と
を有することを特徴とするものである。
【００４６】
請求項１０記載の発明は、請求項７または８記載の発明において、
分光器は、特定の波長範囲のＷＤＭ信号のみを透過する波長フィルタを有することを特徴とするものである。
【００４７】
請求項１１記載の発明は、請求項１０記載の発明において、
調整部は、
分光器によって測定されたスペクトルから光ノイズレベルを求めるＡＳＥ演算手段と、
このＡＳＥ演算手段の求めた光ノイズレベルと、前記スペクトルと、演算部によって補正された応答特性データと、前記演算部が求めた光信号レベルと、補正データ格納部の補正データとから新たに補正データを演算する補正データ演算手段と
を有することを特徴とするものである。
【００４８】
請求項１２記載の発明は、請求項６または１１記載の発明において、
波長フィルタまたは調整部の少なくとも一方は、調整時に設けられることを特徴とするものである。
【００４９】
請求項１３記載の発明は、請求項１〜１２のいずれかに記載の発明において、
分光器は、
ＷＤＭ信号を分光する波長分散素子と、
この分光された光を受ける複数のフォトダイオードからなるフォトダイオードアレイと
を有することを特徴とするものである。
【００５０】
【発明の実施の形態】
以下図面を用いて本発明の実施の形態を説明する。図１は本発明の第１の実施例を示した構成図である。ここで、図１０と同一のものは同一符号を付し、説明を省略する。
【００５１】
図１において、補正データ格納部５０は、新たに設けられ、光ノイズレベルの値を補正する補正データを格納する。演算部６０は、演算部４０の代わりに設けられ、光ピーク演算手段６１、方程式演算手段６２、光ノイズレベル補正手段６３、光ＳＮＲ演算手段６４を有し、分光器１０からの測定データと、応答特性データ格納部３０からの応答特性データと、補正データ格納部５０からの補正データとによって各チャネルＣＨ１〜ＣＨ５のピーク波長や光信号レベル等を求め、これらの演算結果を出力する。
【００５２】
光ピーク演算手段６１は、測定データ、各ＰＤに割り付けられた波長から、各チャネルＣＨ１〜ＣＨ５のピーク検出を行い、検出した各チャネルＣＨ１〜ＣＨ５のピーク波長の演算を行う。方程式演算手段６２は、測定データ、応答特性データ格納部３０の応答特性データ、光ピーク演算手段６１の求めた光ピーク波長等から光ノイズレベル、光信号レベルを求める。光ノイズレベル補正手段６３は、方程式演算手段６２の求めた光ノイズレベルを補正データ格納部５０の補正データにて補正を行う。そして、光ＳＮＲ演算手段６４は、方程式演算手段６２が求めた光信号レベル、光ノイズレベル補正手段６３によって補正された光ノイズレベルから光ＳＮＲの演算を行う。
【００５３】
調整部７０は、チャネル間隔検出手段７１、ＡＳＥ演算手段７２、補正データ演算手段７３を有し、演算部６０から演算結果（光ノイズレベル、ピーク波長等）、測定データを読み出し、光ノイズレベルの値を補正する補正データを求めて、補正データ格納部５０に補正データを格納する。チャネル間隔検出手段７１は、演算部６０からのピーク波長から、チャネル間隔の広いチャネルを検出する。ＡＳＥ演算手段７２は、チャネル間隔検出手段７１の検出したチャネルにて、測定データ等からＡＳＥ補間法にて光ノイズレベルを求める。補正データ演算手段７３は、ＡＳＥ演算手段７２が求めた光ノイズレベルと、方程式演算手段６２が求めた光ノイズレベルとの値から補正データを演算する。
【００５４】
図２のフローチャートを用いて、図１に示す装置の動作を説明する。分光器１０は、ＷＤＭ信号のスペクトル測定を行い、測定データを演算部６０に出力する（Ｓ１１）。光ピーク演算手段６１が、測定データと各ＰＤに割り付けられた波長から各チャネルＣＨ１〜ＣＨ５のピークの検出やピーク波長の測定を行う（Ｓ１２）。そして、演算部６０が、応答特性データ格納部３０の応答特性データと、補正データ格納部５０の補正データを読み出す（Ｓ１３）。方程式演算手段６２は、方程式演算手段４２と同様に応答特性データ、測定データ等から式（２）によって光ピーク演算手段６１が検出した各チャネルＣＨ１〜ＣＨ５の光ノイズレベル、光信号レベルを求める（Ｓ１４）。
【００５５】
調整時（例えば、図１に示す装置が通信システムで稼動する前、稼動後のある一定期間経過後、本装置が使用される環境の状態（温度、気圧等）やＷＤＭ信号の変調方式に変更が行われた場合等）の場合、調整部７０は、演算部６０が保持している測定データ、演算した演算結果（ピーク波長、光ノイズレベル等）を読み出す（Ｓ１５、Ｓ１６）。そして、チャネル間隔検出手段７１は、この演算結果のピーク波長から、チャネルＣＨ１〜ＣＨ５間隔が十分に広いチャネルを検出する（Ｓ１７）。チャネル間隔検出手段７１が検出したチャネルにおいて、ＡＳＥ演算手段７２は、ＡＳＥ演算手段２２と同様に、測定データとピーク波長から光ノイズレベルを式（１）により演算する（Ｓ１８）。補正データ演算手段７３が、方程式演算手段６２が求めた光ノイズレベルと、ＡＳＥ演算手段７２が求めた光ノイズレベルとの誤差から補正データを求める。この際、ＡＳＥ演算手段７２が求めた光ノイズレベルを真値とする（Ｓ１９）。調整部７０は、補正データを補正データ格納部５０に格納する（Ｓ２０）。
【００５６】
調整時でない場合（測定時）、光ノイズレベル補正手段６３は、方程式演算手段６２の求めた光ノイズレベルを、補正データにて補正する（Ｓ１５、Ｓ２１）。光ＳＮＲ演算手段６４は、光信号レベルと光ノイズレベル補正手段６３によって補正された光ノイズレベルから光ＳＮＲを求める（Ｓ２２）。そして、演算部６０は、これらの演算結果を出力する（Ｓ２３）。
【００５７】
このように、調整時において、調整部７０は、方程式演算手段６２が応答特性データ格納部３０の応答特性データ等に基づいて式（２）によって求めた光ノイズレベル、ＡＳＥ演算手段７２が十分にダイナミックレンジのとれているチャネルにて式（１）によって求めた光ノイズレベルとを比較し、式（１）と式（２）の演算結果の誤差分から補正データを求め、この補正データを補正データ格納部５０に格納する。また、測定時において、演算部６０は、補正データ格納部５０から補正データを読み出し、光ノイズレベル補正手段６３が、方程式演算手段６２が式（２）によって求めた光ノイズレベルを補正データで補正するので、応答特性データの形状と測定時の分光器１０の応答スペクトルの変化分を補正することができる。これにより、経時変化、使用環境、ＷＤＭ信号の変調方式等に影響されずに、光ノイズレベルを精度良く求めることができる。従って、光ＳＮＲも精度良く求めることができる。
【００５８】
図３は、本発明の第２の実施例を示した構成図である。ここで、図１と同一のものは同一符号を付し、説明を省略すると共に図示も省略する。図３において、波長フィルタ１８は、分光器１０の入射端である光ファイバ１１とレンズ１２の間に設けられる。また、波長フィルタ１８は、被測定光１００のうち特定の波長範囲の光のみを透過させるが、透過させる波長および波長範囲は可変である。
【００５９】
また、調整部７０は、チャネル間隔検出手段７１、ＡＳＥ演算手段７２、補正データ演算手段７３の代わりに、ＡＳＥ演算手段７４、補正データ演算手段７５を有し、演算部６０から演算結果（光ノイズレベル、ピーク波長等）、測定データを読み出し、光ノイズレベルの値を補正する補正データを求めて、補正データ格納部５０に補正データを格納する。ＡＳＥ演算手段７４は、波長フィルタ１８を透過したチャネルにて、測定データからＡＳＥ補間法にて光ノイズレベルを求める。補正データ演算手段７５は、ＡＳＥ演算手段７４が求めた光ノイズレベルと、方程式演算手段６２が求めた光ノイズレベルとの値から補正データを演算する。
【００６０】
図３に示す装置の動作を説明する。図３において、調整時の場合、波長フィルタ１８は、複数のチャネルＣＨ１〜ＣＨ５が多重化されたＷＤＭ信号のうち、任意の１チャネルのみが透過するように波長範囲が設定される。例えば、チャネルＣＨ２のみが波長フィルタ１８を透過するように設定される。その後、図２に示したフローチャートのステップＳ１１〜Ｓ２０までの動作を行う。
【００６１】
ただし、波長フィルタ１８によって、被測定光１００には１つのチャネルＣＨ２しか存在しないので、ステップＳ１７、Ｓ１８において、ＡＳＥ演算手段７４が式（１）によって求めるＡＳＥ＋（λ）、ＡＳＥ−（λ）は、チャネル間でなく、波長フィルタ１８を透過したチャネルで、光ノイズレベルよりも十分にダイナミックレンジがとれている位置で測定を行う。そして、補正データ演算手段７５が、方程式演算手段６２が求めた光ノイズレベルと、ＡＳＥ演算手段７４が求めた光ノイズレベルとの誤差から補正データを求める（Ｓ１９）。そして、調整部７０は、求めた補正データを補正データ格納部５０に格納後（Ｓ２０）、波長フィルタ１８の波長範囲は、ＷＤＭ信号全ての波長域を透過するように設定される。
【００６２】
調整時でない場合、図２におけるフローチャートのステップＳ１１〜Ｓ１５、Ｓ２１〜Ｓ２３の動作を行い光ノイズレベルの演算および補正、光ＳＮＲ等の測定を行う。
【００６３】
このように、調整時に、分光器１０内に設けた波長フィルタ１８で、任意の波長範囲にあるチャネルＣＨ２のみを透過させ、このチャネルＣＨ２を用いて調整部７０は、応答特性データの形状と測定時の分光器１０の応答スペクトルの変化分を補正する。これにより、ＷＤＭ信号の波長間隔の状態に影響されずに、任意の時間、任意の波長で補正データを求めることができる。
【００６４】
図４は、本発明の第３の実施例を示した構成図である。ここで図１と同一のものは同一符号を付し、説明を省略する。図４において、応答特性データ補正手段６５は、光ノイズレベル補正手段６３の代わりに、光ピーク演算手段６１と方程式演算手段６２との間に設けられ、応答特性データ格納部３０の応答特性データを補正データ格納部の補正データにて補正し、補正した応答特性データを方程式演算手段６２に出力する。
【００６５】
また、調整部７０の代わりに調整部８０が設けられる。そして、調整部８０は、チャネル間隔検出手段８１、ＡＳＥ演算手段８２、補正データ演算手段８３を有し、演算部６０から演算結果（光ノイズレベル、ピーク波長等）、測定データ、補正データ、補正した応答特性データを読み出し、応答特性データを補正する補正データを新たに求めて、補正データ格納部５０に補正データを格納する。チャネル間隔検出手段８１は、演算部６０からのピーク波長から、チャネル間隔の広いチャネルを検出する。ＡＳＥ演算手段８２は、チャネル間隔検出手段８１の検出したチャネルにて、測定データ等からＡＳＥ補間法にて光ノイズレベルを求める。補正データ演算手段８３は、分光器１０の測定データ、補正データ格納部５０の補正データ、ＡＳＥ演算手段８２が求めた光ノイズレベル、方程式演算手段６２が求めた光信号レベル、補正された応答特性データから補正データを演算する。
【００６６】
図５に示すフローチャートを用いて、図４に示す装置の動作を説明する。分光器１０は、ＷＤＭ信号のスペクトル測定を行い、測定データを演算部６０に出力する（Ｓ３１）。光ピーク演算手段６１が、測定データと各ＰＤに割り付けられた波長から各チャネルＣＨ１〜ＣＨ５のピークの検出やピーク波長の測定を行う（Ｓ２２）。そして、演算部６０が、応答特性データ格納部３０の応答特性データと、補正データ格納部５０の補正データを読み出す（Ｓ３３）。
【００６７】
応答特性データ補正手段６５が、補正データによって応答特性データの補正を行う（Ｓ３４）。そして、方程式演算手段６２が、方程式演算手段４２と同様に式（２）によって光ピーク演算手段６１が検出した各チャネルＣＨ１〜ＣＨ５の光ノイズレベル、光信号レベルを求める。ただし、応答特性データの代わりに応答特性データ補正手段６５によって補正された応答特性データを用いる（Ｓ３５）。
【００６８】
調整時（例えば、図４に示す装置が通信システムで稼動する前、稼動後のある一定期間経過後、本装置が使用される環境の状態（温度、気圧等）やＷＤＭ信号の変調方式に変更が行われた場合等）の場合、調整部８０は、演算部６０が保持している測定データ、補正データ、演算した演算結果（ピーク波長、光信号レベル等）、補正した応答特性データを読み出す（Ｓ３６、Ｓ３７）。そして、チャネル間隔検出手段８１は、この演算結果のピーク波長から、チャネルＣＨ１〜ＣＨ５間隔が十分に広いチャネルを検出する（Ｓ３８）。チャネル間隔検出手段８１が検出したチャネルにおいて、ＡＳＥ演算手段８２は、ＡＳＥ演算手段２２と同様に、測定データとピーク波長から光ノイズレベルを式（１）により演算する（Ｓ３９）。
【００６９】
ここで、式（１）、式（２）によって求めた光ノイズレベルの誤差（式（１）の値を真値とする）の原因は、式（２）の補正した応答特性データによって定まる左辺の行列Ｍによる。そこで、補正データ演算手段８３は、式（２）において、方程式演算手段６２が求めた光信号レベル、ＡＳＥ演算手段８２が求めた光ノイズレベル、および右辺の行列を既知として、左辺の行列Ｍを求め、求めた行列Ｍから応答特性データを逆算する。そして、補正された応答特性データが、逆算した応答特性データになるように補正値を求め、この補正値と補正データから新たな補正データを求める（Ｓ４０）。調整部８０は、新たな補正データを補正データ格納部５０に格納する（Ｓ４１）。
【００７０】
調整時でない場合（測定時）、光ＳＮＲ演算手段６４が方程式演算手段６２の求めた光信号レベルと光ノイズレベルから光ＳＮＲを求める（Ｓ３６、Ｓ４２）。そして、演算部６０は、これらの演算結果を出力する（Ｓ４３）。
【００７１】
このように、調整時において、調整部８０は、補正データ、測定データ、方程式演算手段６２が式（２）によって求めた光信号レベル、ＡＳＥ演算手段８２が求めた光ノイズレベルから、応答特性データを補正する補正データを新たに求め、この新たに求めた補正データを補正データ格納部５０に格納する。また、測定時において、演算部６０は、補正データ格納部５０から補正データを読み出し、応答特性データを補正データで補正し、この補正した応答特性データに基づき、方程式演算手段６２が式（２）によって光ノイズレベルを求めるので、応答特性データの形状と測定時の分光器１０の応答スペクトルの変化分を補正することができる。これにより、経時変化、使用環境、ＷＤＭ信号の変調方式等に影響されずに、光ノイズレベルを精度良く求めることができる。従って、光ＳＮＲも精度良く求めることができる。
【００７２】
図６は、本発明の第４の実施例を示した構成図である。ここで、図４と同一のものは同一符号を付し、説明を省略すると共に図示も省略する。図６において、波長フィルタ１８は、分光器１０の入射端である光ファイバ１１とレンズ１２の間に設けられる。また、波長フィルタ１８は、被測定光１００のうち特定の波長範囲の光のみを透過させるが、透過させる波長および波長範囲は可変である。
【００７３】
また、調整部８０は、チャネル間隔検出手段８１、ＡＳＥ演算手段８２、補正データ演算手段８３の代わりに、ＡＳＥ演算手段８４、補正データ演算手段８５を有し、演算部６０から演算結果（光ノイズレベル、ピーク波長等）、測定データ、補正データ、補正された応答特性データを読み出し、応答特性データを補正する補正データを新たに求めて、補正データ格納部５０に補正データを格納する。ＡＳＥ演算手段８４は、波長フィルタ１８を透過したチャネルにて、測定データからＡＳＥ補間法にて光ノイズレベルを求める。補正データ演算手段８５は、分光器１０の測定データ、補正データ、ＡＳＥ演算手段８２が求めた光ノイズレベル、方程式演算手段６２が求めた光信号レベル、補正された応答特性データから補正データを演算する。
【００７４】
図６に示す装置の動作を説明する。図６において、調整時の場合、波長フィルタ１８は、複数のチャネルＣＨ１〜ＣＨ５が多重化されたＷＤＭ信号のうち、任意の１チャネルのみが透過するように波長範囲が設定される。例えば、チャネルＣＨ２のみが波長フィルタ１８を透過するように設定される。その後、図５に示したフローチャートのステップＳ３１〜Ｓ４１までの動作を行う。
【００７５】
ただし、波長フィルタ１８によって、被測定光１００には１つのチャネルＣＨ２しか存在しないので、ステップＳ３８、Ｓ３９において、ＡＳＥ演算手段８４が式（１）によって求めるＡＳＥ＋（λ）、ＡＳＥ−（λ）は、チャネル間でなく、波長フィルタ１８を透過したチャネルで、光ノイズレベルよりも十分にダイナミックレンジがとれている位置で測定を行う。そして、補正データ演算手段８５が、補正データを求める（Ｓ４０）。そして、調整部８０は、求めた補正データを補正データ格納部５０に格納後（Ｓ４１）、波長フィルタ１８の波長範囲は、ＷＤＭ信号全ての波長域を透過するように設定される。
【００７６】
調整時でない場合、図５におけるフローチャートのステップＳ３１〜Ｓ３６、Ｓ４２〜Ｓ４３の動作を行い光ＳＮＲ等の測定を行う。
【００７７】
このように、調整時に、分光器１０内に設けた波長フィルタ１８で、任意の波長範囲にあるチャネルＣＨ２のみを透過させ、このチャネルＣＨ２を用いて調整部８０は、応答特性データの形状と測定時の分光器１０の応答スペクトルの変化分を補正する。これにより、ＷＤＭ信号の波長間隔の状態に影響されずに、任意の時間、任意の波長で補正データを求めることができる。
【００７８】
なお、本発明はこれに限定されるものではなく、以下のようなものでもよい。波長分散素子に回折格子１３を用いる例を示したがプリズム等を用いてもよい。
【００７９】
また、分光器１０は、レンズ１２、１４を用いる透過型光学系を示したが、放物面鏡等を用いた反射型光学系としてもよい。
【００８０】
また、ポリクロメータ方式の分光器をあげたが、被測定光１００を分光し、分光したスペクトルをサンプリングする構成の分光器は全て本発明に含まれる。
【００８１】
また、ＷＤＭ信号に多重化されたチャネル数は５チャネルだったが、何チャネルでもよい。
【００８２】
また、図１、３、４、６に示した装置において、調整時に式（１）および式（２）によって求めた、光ノイズレベルに誤差なければ、補正データ演算手段７３、７４、８３、８５によって補正データを求めずに、補正データ格納部５０の補正データを変更しなくともよい。
【００８３】
また、図３、６に示した装置において、波長フィルタ１８は、調整時でない場合、ＷＤＭ信号全ての波長域を透過するように設定される構成を示したが、波長フィルタ１８を取り外す構成としてもよい。
【００８４】
また、図３、６に示した装置において、波長フィルタ１８は、光ファイバ１１の出射口とコリメーティングレンズ１２の間に設けたが、被測定光１００が、ＰＤアレイにて受光される前ならば、どこに設けてもよい。
【００８５】
さらに、図３、６に示した装置において、波長フィルタ１８の透過する波長範囲を順次ずらしていき、複数のチャネルまたは全てのチャネルごとに、補正データを求めるようにしてもよい。これにより、より精度良く各チャネルごとの光ノイズレベルを測定することができる。
【００８６】
【発明の効果】
本発明によれば、以下のような効果がある。
請求項１〜１３によれば、調整時において、調整部は、分光器によって求められたスペクトルに基づいて求めた光ノイズレベルと、演算部が求めた光ノイズレベルとの誤差により補正データを演算し、この補正データを補正データ格納部に格納する。そして、測定時において、演算部は、分光器によって測定されたスペクトルと応答特性データと補正データに基づいて光ノイズレベルを求めるので、応答特性データの形状と測定時の分光器の応答スペクトルの誤差分を補正することができる。これにより、経時変化、使用環境、ＷＤＭ信号の変調方式等に影響されずに、光ノイズレベルを精度良く求めることができる。従って、光ＳＮＲも精度良く求めることができる。
【００８７】
請求項５、１０によれば、波長フィルタを設けて、特定の波長範囲のＷＤＭ信号のみを透過させ、その波長範囲において補正データを求める。これによりＷＤＭ信号の波長間隔の状態に影響されずに、任意の時間、任意の波長領域にて補正データを求めることができる。
【図面の簡単な説明】
【図１】本発明の第１の実施例を示した構成図である。
【図２】図１に示す装置における動作を示したフローチャートである。
【図３】本発明の第２の実施例を示した構成図である。
【図４】本発明の第３の実施例を示した構成図である。
【図５】図４に示す装置における動作を示したフローチャートである。
【図６】本発明の第４の実施例を示した構成図である。
【図７】従来のＷＤＭ信号モニタの第１の構成を示した図である。
【図８】線スペクトルに対する分光器１０の応答特性例を示した図である。
【図９】光ノイズと複数の線スペクトルに対する分光器１０の応答特性例を示した図である。
【図１０】従来のＷＤＭ信号モニタの第２の構成を示した図である。
【符号の説明】
１０  分光器
１３  回折格子
１５  フォトダイオードアレイモジュール
１８  波長フィルタ
３０  応答特性データ格納部
５０  補正データ格納部
６０  演算部
６１  光ピーク演算手段
６２  方程式演算手段
６３  光ノイズレベル補正手段
６４  光ＳＮＲ演算手段
６５  応答特性データ補正手段
７０、８０  調整部
７１、８１  チャネル間隔検出手段
７２、７４、８２、８４  ＡＳＥ演算手段
７３、７５、８３、８５  補正データ演算手段
１００、１００Ａ、１００Ｂ  被測定光
【図１】
0003678201.tif 000004
【図２】
0003678201.tif 000005
【図３】
0003678201.tif 000006
【図４】
0003678201.tif 000007
【図５】
0003678201.tif 000008
【図６】
0003678201.tif 000009
【図７】
0003678201.tif 000010
【図８】
0003678201.tif 000011
【図９】
0003678201.tif 000012
【図１０】
0003678201.tif 000013